(57)【特許請求の範囲】
【請求項１】
複数の医療用ポンプがラックに装着された医療用ポンプシステムであって、
前記ラックは、
装着されている複数の医療用ポンプと通信するための通信手段と、
前記複数の医療用ポンプのいずれかから前記通信手段を介して警報通知が受信されると、当該警報通知を送信した医療用ポンプの前記ラックにおける装着位置を判定する判定手段と、
前記警報通知を発生している医療用ポンプ以外の他の医療用ポンプのそれぞれから前記判定手段で判定した前記装着位置を指し示すように、前記他の医療用ポンプのそれぞれに表示させる方向表示を決定する決定手段と、
前記決定手段で決定された方向表示を表示させるための指示を、前記他の医療用ポンプのそれぞれに対して前記通信手段を介して送信する送信手段とを備える、ことを特徴とする医療用ポンプシステム。
【請求項２】
前記通信手段は、前記ラックにおける複数のポンプ装着位置のそれぞれに対応して設けられた複数のポートを有し、
前記判定手段は、複数のポートのいずれから前記警報通知が受信されたかに基づいて、当該警報を発生しているポンプの前記ラックにおける装着位置を判定することを特徴とする請求項１に記載の医療用ポンプシステム。
【請求項３】
前記決定手段は、前記他の医療用ポンプのそれぞれの前記ラックにおける装着位置から前記警報通知を発生している医療用ポンプの装着位置へ向かう方向の矢印を、前記他の医療用ポンプのそれぞれの方向表示として決定することを特徴とする請求項１または２に記載の医療用ポンプシステム。
【請求項４】
前記決定手段は、それぞれが異なる方向に対応した複数の矢印の中から、前記他のポンプのそれぞれの装着位置から前記警報通知を発生している医療用ポンプの装着位置へ向かう方向に最も近い矢印を選択し、前記他のポンプのそれぞれが表示する方向表示として決定することを特徴とする請求項３に記載の医療用ポンプシステム。
【請求項５】
前記決定手段は、前記判定手段が複数の装着位置を判定しており、一つの医療用ポンプから前記複数の装着位置に対応した複数の方向を指し示すことが必要な場合、当該一つの医療用ポンプに表示させる方向表示を、前記複数の方向を指し示す方向表示に決定することを特徴とする請求項１に記載の医療用ポンプシステム。
【請求項６】
前記複数の方向を指し示す方向表示とは、前記一つの医療用ポンプに前記複数の方向に対応した複数の方向表示の交互表示、または、前記複数の方向を同時に指し示すことのできる方向表示であることを特徴とする請求項５に記載の医療用ポンプシステム。
【請求項７】
前記ラックは、それぞれが所定数のポンプを装着可能な主ラックと従属ラックを連結した構成を有し、
前記判定手段、前記決定手段、前記送信手段は前記主ラックに設けられ、
前記通信手段は、
前記主ラックに設けられ、医療用ポンプと通信するための複数のポートと、
前記従属ラックに設けられ、医療用ポンプと通信するための複数のポートと、
前記従属ラックの複数のポートの各信号線を前記主ラックへ接続する接続手段とを備えることを特徴とする請求項１に記載の医療用ポンプシステム。
【請求項８】
複数の医療用のポンプを装着可能な医療用ポンプ装着ラックであって、
装着されている複数の医療用ポンプと通信するための通信手段と、
前記複数の医療用ポンプのいずれかから前記通信手段を介して警報通知が受信されると、当該警報通知を送信した医療用ポンプの前記ラックにおける装着位置を判定する判定手段と、
前記警報通知を発生している医療用ポンプ以外の他の医療用ポンプのそれぞれから前記判定手段で判定した前記装着位置を指し示すように、前記他の医療用ポンプのそれぞれに表示させる方向表示を決定する決定手段と、
前記決定手段で決定された方向表示を表示させるための指示を、前記他の医療用ポンプのそれぞれに対して前記通信手段を介して送信する送信手段とを備える、ことを特徴とする医療用ポンプ装着ラック。
【発明の詳細な説明】
【技術分野】
【０００１】
本発明は、複数の医療用ポンプをラックに搭載した医療用ポンプシステムおよび医療用ポンプ装着ラックに関する。
【背景技術】
【０００２】
病院等において、薬液等を患者の体内へ送液するためには、輸液バッグ中の薬液を設定された輸液速度、輸液量で輸液チューブを介して患者に注入する輸液ポンプや、シリンジの薬剤を設定された注入速度，注入量で患者に送液するシリンジポンプが用いられる。一般に、これら輸液ポンプやシリンジポンプ（本明細書では、これらを総称して医療用ポンプと称する）は、１種類の薬液を送液するのに一つの医療用ポンプが必要である。そのため、手術室や集中治療室などにおいて複数の薬液を同時に患者に投与しようとする場合には、薬液の数に応じた複数の医療用ポンプが必要となる。複数の医療用ポンプを机上に並べたり、床に置いたりすると、場所がとられてしまう上に、それらを移動するのも容易ではないため、複数の医療用ポンプを並べて装着するためのラックが用いられる。
【０００３】
複数の医療用ポンプをラックに装着して用いる場合、医療用ポンプを個別に操作して各種の設定を行ったり、監視したりする作業は煩雑である。そこで、ラックに装着されたそれぞれの医療用ポンプと通信する中央制御装置を設け、中央制御装置において医療用ポンプの接続形態や各医療用ポンプの輸液状態を監視できるようにした構成が特許文献１に記載されている。
【先行技術文献】
【特許文献】
【０００４】
【特許文献１】特開平１１−３４７１１８号公報
【発明の概要】
【発明が解決しようとする課題】
【０００５】
医療用ポンプは、送液中になんらかの不具合の発生が検出された場合、または何らかの不具合の発生の予兆が検出された場合には警報を発生して使用者に対処を促す機能を有する。しかしながら、ラックに複数の医療用ポンプが装着されて送液を行っている間にある一つの医療用ポンプから、たとえば音による警報が発生された場合には、使用者はどの医療用ポンプから警報が発生しているのかを把握しにくい。或いは、医療用ポンプが表示器を用いて警報を発生中であることを示す表示を行うにしても、その表示が通常表示と著しく異なるものでなければ、複数の医療用ポンプから警報発生中のものを直ちに特定することは難しい。
【０００６】
特許文献１のように、医療用ポンプが装着されたラックとは別個に中央制御装置を設けた場合、中央制御装置の表示画面でラックに装着された医療用ポンプのいずれにおいて警報が発生しているかを表示させることができる。しかしながら、この表示はあくまでも中央制御装置の画面上の表示であり、使用者は、まず画面上の配置を確認しなければならず、その後、画面上の配置を実際のラック上の配置へ置き換えて警報を発生している医療用ポンプを特定することになる。すなわち、特許文献１に記載の中央制御装置では、実際に警報を発生している医療用ポンプへの直接的なアクセスを可能にするものではない。
【０００７】
本発明は、上記の課題に鑑みてなされたものであり、ラックに複数の医療用ポンプを装着して用いた際に、警報発生中の医療用ポンプを使用者が直ちに且つ容易に視認できるようにすることを目的とする。
【課題を解決するための手段】
【０００８】
上記の目的を達成するための本発明の一態様による医療用ポンプシステムは以下の構成を備える。すなわち、
複数の医療用ポンプがラックに装着された医療用ポンプシステムであって、
前記ラックは、
装着されている複数の医療用ポンプと通信するための通信手段と、
前記複数の医療用ポンプのいずれかから前記通信手段を介して警報通知が受信されると、当該警報通知を送信した医療用ポンプの前記ラックにおける装着位置を判定する判定手段と、
前記警報通知を発生している医療用ポンプ以外の他の医療用ポンプのそれぞれから前記判定手段で判定した前記装着位置を指し示すように、前記他の医療用ポンプのそれぞれに表示させる方向表示を決定する決定手段と、
前記決定手段で決定された方向表示を表示させるための指示を、前記他の医療用ポンプのそれぞれに対して前記通信手段を介して送信する送信手段とを備える。
【発明の効果】
【０００９】
本発明によれば、ラックに装着された複数の医療用ポンプの表示画面を利用して警報を発生している医療用ポンプを指し示すような表示が行われるため、使用者は直ちに且つ容易にラック上の警報発生中の医療用ポンプを特定できるようになる。
【図面の簡単な説明】
【００１０】
【図１】（ａ）は、第１実施形態による、医療用ポンプシステムの全体構成例を示す図、（ｂ）は第１実施形態による医療用ポンプ装着ラックを説明する図である。
【図２】第１実施形態による医療用ポンプ装着ラックと医療用ポンプの制御構成を示すブロック図である。
【図３】第１実施形態の医療用ポンプにおける制御手順を示すフローチャートである。
【図４】第１実施形態の医療用ポンプ装着ラックによる制御手順を示すフローチャートである。
【図５】（ａ）（ｂ）は、第１実施形態の医療用ポンプシステムにおける、警報発生中の医療用ポンプの指示表示の例を示す図である。
【図６】第１実施形態の医療用ポンプシステムにおいて、医療用ポンプを２次元的に配置可能とした例を示す図である。
【図７】（ａ）（ｂ）は、第２実施形態の医療用ポンプシステムの全体構成例を示す図である。
【図８】第２実施形態による医療用ポンプ装着ラックの制御構成を説明するブロック図である。
【図９】第２実施形態による医療用ポンプ装着ラックを２次元的に配置可能とした例を示す図である。
【発明を実施するための形態】
【００１１】
以下、添付の図面を参照して本発明の好適な実施形態を例示する。
【００１２】
［第１実施形態］
図１（ａ）は、第１実施形態による医療用ポンプシステムの外観構成の一例を示す図である。図１（ａ）に示されるように、本実施形態では、複数の医療用ポンプ（本例では６台としている）が専用のラックに装着された構成の医療用ポンプシステムを説明する。図１（ａ）において、１０１は医療用ポンプ装着ラック（以下、ラック１０１という）であり、本例では６台までの医療用ポンプ２０１を縦方向に一列に装着可能な構成となっている。また、図示の例では、医療用ポンプ２０１の例として輸液ポンプが示されており、各ポンプには、輸液バッグ（不図示）から各医療用ポンプ２０１に薬液を輸送するためのチューブ２１１ａ，各医療用ポンプ２０１から患者に薬液を輸送するためのチューブ２１１ｂが装着された様子が示されている。但し、医療用ポンプの装着台数はこれに限られるものではないし、医療用ポンプも輸液ポンプに限られるものではなく、シリンジポンプなど各種の医療用のポンプを装着可能である。
【００１３】
図１（ｂ）は、医療用ポンプ２０１が未装着な状態のラック１０１を正面から見た図である。ラック１０１には、複数のポンプ装着位置に対応して複数の（本例では６個の）ポート１０２が配置されている。複数のポート１０２の各々は、医療用ポンプ２０１と接続可能なコネクタにより形成されており、医療用ポンプ２０１はポート１０２を介してラック１０１と通信する。なお、ポート１０２は、縦に配列されたポンプ装着位置の上から順に＃１、＃２、…、＃６という番号が割り当てられている。
【００１４】
図２は、第１実施形態によるラック１０１と医療用ポンプ２０１の制御構成例を示すブロック図である。ラック１０１の６つのポート１０２は、それぞれ通信モジュール１１１に接続されている。通信モジュール１１１は、ポート１０２を介して医療用ポンプ２０１からの信号（データ）を受信すると、その受信したデータと受信したポートの番号（＃１〜＃６のいずれかのポート番号）を制御部１２１に通知する。また、制御部１２１から、ポート番号とデータ（コマンド等）の対を受信すると、当該ポート番号に対応するポート１０２に対して制御部１２１から受信したデータを出力する。こうして、ラック１０１の制御部１２１は、装着されている複数の医療用ポンプ２０１のそれぞれと個別に通信することが可能となっている。なお、制御部１２１は、マイクロコンピュータなどのＣＰＵ（不図示）とＣＰＵにより実行される装置全体の制御プログラムや各種データを記憶するＲＯＭ（不図示）とワークエリアとして測定データや各種データを一時的に記憶するＲＡＭ（不図示）などを備え、図４のフローチャートで示した処理を含む各種処理を、各処理工程（ステップ）において判断を行いながら実行する。
【００１５】
医療用ポンプ２０１において、表示部２０２は、たとえば液晶パネルを有し、ポンプ制御部２０５の制御下で各種表示を行う。コネクタ２０３はポート１０２と接続し、医療用ポンプ２０１との電気的な接続（通信）を実現する。なお、コネクタ２０３とポート１０２との間はケーブルを介して接続されるものとする。或いは、コネクタ２０３とポート１０２が直接に接続される（たとえば、医療用ポンプ２０１をラック１０１に装着することでコネクト２０３とポート１０２が接続される）ようにしてもよい。ポンプ制御部２０５は、送液機構２０６を制御して、送液量を制御する。医療用ポンプ２０１が輸液ポンプの場合、送液機構２０６はたとえば送液用の複数のフィンガーを具備し、複数のフィンガーが順次に輸液チューブを押すことによりチューブ内の薬液を送出する。また、医療用ポンプ２０１がシリンジポンプであれば、送液機構２０６はシリンジを装着してその押し子を押圧する構成となる。
【００１６】
以上のような構成の医療用ポンプ２０１において、ポンプ制御部２０５は、自身が制御する医療用ポンプ２０１において使用者に警報を通知すべき状態が検出された場合に、警報を発生する。ポンプ制御部２０５は、警報の発生を表示部２０２の画面を用いて報知するほか、通信モジュール２０４を介してラック１０１に通知する。また、ポンプ制御部２０５は、通信モジュール２０４を介してラック１０１から矢印表示の指示を受けると、表示部２０２に指示された種類の矢印を表示する機能を持つ。以下、この動作について図３のフローチャートを参照して説明する。
【００１７】
図３は医療用ポンプ２０１の動作を説明するフローチャートである。ステップＳ３０１において、ポンプ制御部２０５は、医療用ポンプ２０１が発生した異常、異常発生の予兆、警報の要因の発生（使用者に対して、操作や対応措置により警報要因の解除を促す）を監視する。ここで異常とは、例えば、チューブ２１１ｂの閉塞、異常発生の予兆とは、例えば、メンテナンス時期のアラーム、警報の要因の発生とは、例えば、開始忘れやチューブ２１１ａ，２１１ｂまたはシリンジ（不図示）が医療用ポンプ２０１に正しくセットされていない場合である。警報の要因の発生（例えば、すべての設定・入力が完了し、輸液の開始準備が整った状態で輸液開始ボタン操作が行なわれなかったような状況）が検出されると、ポンプ制御部２０５は、表示部２０２を用いて警報表示を行い、通信モジュール２０４を介してラック１０１に警報通知を出力する（ステップＳ３０２でＹＥＳ→ステップＳ３０３、ステップＳ３０４）。その後、ステップＳ３０５において、ポンプ制御部２０５は警報の要因が解除されるのを待つ。警報の要因が解除されると処理はステップＳ３０５からＳ３０６へ進む。ステップＳ３０６において、ポンプ制御部２０５は、ステップＳ３０４で行った警報通知の出力を停止し、ステップＳ３０３で行った警報表示から通常表示に戻す。
【００１８】
警報の要因が発生していない場合は、処理はステップＳ３０２からステップＳ３０７に進む。ステップＳ３０７において、ポンプ制御部２０５は、ラック１０１のポート１０２から通信モジュール２０４を介して矢印表示の指示を受信したか否かを判定する。矢印表示の指示を受信した場合、処理はステップＳ３０７からステップＳ３０８へ進み、ポンプ制御部２０５は、指示された矢印を表示部２０２に表示する。また、矢印表示の終了指示を受信した場合は、ステップＳ３０９からステップＳ３１０に処理が進み、ポンプ制御部２０５は、表示部２０２の表示を通常状態に戻す。以上が、本実施形態の医療用ポンプ２０１における、警報通知に関わる表示処理である。
【００１９】
次に、本実施形態のラック１０１による制御について説明する。本実施形態では、ラック１０１に装着された医療用ポンプ２０１において警報が発生した場合に、どの医療用ポンプで警報が発生しているのかを使用者に明示するために、ラック１０１に装着された他の医療用ポンプの表示部２０２を利用する。このような表示制御は、ラック１０１の制御部１２１により実行されるものであり、以下、図４のフローチャートと、図５（ａ）（ｂ）を参照して詳細に説明する。
【００２０】
ステップＳ４０１において、制御部１２１は、通信モジュール１１１及び＃１〜＃６の各ポート１０２を介して、医療用ポンプ２０１からの警報通知が受信されているポートを確認する。上述したように、通信モジュール１１１はポート番号と警報通知を対にして制御部１２１に通知するので、制御部１２１は＃１〜＃６のどのポートが警報通知を受信しているのかを知ることができる。次に、ステップＳ４０２において、制御部１２１は、各ポートにおける警報通知の受信状態が直前の状態から変化したか否かを判定する。これはたとえば、
・警報通知を受信しているポート１０２の数が変化した場合（警報通知を受信しているポートが無い状態（０個）からありの状態への変化や、警報通知を受信しているポートがありの状態から無い状態への変化を含む）、
・警報通知を受信しているポートの数は変わらないが、受信しているポートが変化した場合（例えば、警報通知を受信しているポートが＃１から＃２のポートに切り替わったような場合）、
等が挙げられる。
【００２１】
ステップＳ４０２において、警報通知の受信状態に変化が無いと判定された場合は、処理はステップＳ４０１に戻る。一方、警報通知の受信状態に変化があると判定された場合は、処理はステップＳ４０３に進む。ステップＳ４０３において、制御部１２１は、いずれかのポート１０２で警報通知を受信しているかどうかを判定する。全てのポート１０２において警報通知を受信していない場合は、警報を解除した医療用ポンプ２０１が存在することを意味する。したがって、処理はステップＳ４０４に進み、制御部１２１は＃１〜＃６の全てのポート１０２に対して矢印表示の終了指示を出力する。上述したように、ポート１０２から矢印表示の終了指示を受けた医療用ポンプ２０１のポンプ制御部２０５は、もしもラック１０１からの表示指示によって矢印を表示中であれば、その表示を終了して通常表示に戻る（Ｓ３０９、Ｓ３１０）。
【００２２】
一方、ステップＳ４０３で、いずれかのポート１０２において警報通知を受信していると判定された場合は、処理はステップＳ４０５に進む。ステップＳ４０５において、制御部１２１は、警報通知を受信しているポート１０２のポート番号のうちの最大値を変数Ｍに、最小値を変数Ｌに設定する。本実施形態の場合、縦一列に医療用ポンプが配置され、上から順にポート番号が増加するように割り当てられているので、変数Ｌ、Ｍの設定により警報を発生している医療用ポンプの装着位置を判定できることになる。なお、警報を受信しているポートが一つの場合は、Ｍ＝Ｌとなる。たとえば、図５（ａ）の場合、＃３のポートに接続された医療用ポンプ２０１のみが警報を発生しており、この場合、Ｍ＝Ｌ＝３となる。また、図５（ｂ）の場合、＃３と＃５の医療用ポンプ２０１で警報を発生しており、Ｍ＝５、Ｌ＝３となる。そして、ステップＳ４０６において、制御部１２１は処理対象のポート番号として先頭のポート番号（本例では一番上に位置するポートの番号）である「１」を変数Ｐにセットする。以下、変数Ｐが最大ポート数（本例では６）になるまでステップＳ４０７〜Ｓ４１２の処理を繰り返すことで、全てのポートについて処理が行われることになる。
【００２３】
まず、ステップＳ４０７において、制御部１２１は、番号Ｐのポートが警報を受信しているポート（以下、警報ポートとも言う）であるか否かを判定する。警報ポートであれば、そのポートに接続されている医療用ポンプ２０１が警報を発生してるため、矢印表示の指示はせず、処理をステップＳ４１３までスキップさせる。たとえば、図５（ａ）のような状況であれば、＃３（Ｐ＝３）のポートはステップＳ４０７で警報ポートと判定されることになる。
【００２４】
番号Ｐのポートが警報を受信しているポートでなければ、処理はステップＳ４０８に進む。ステップＳ４０８において、制御部１２１は、変数Ｍ，Ｌ，Ｐの値の大小を比較する。その結果、Ｍ（最大値）＞Ｐ（ポート番号）＞Ｌ（最小値）であれば、番号Ｐのポートに対して、上下矢印の表示を指示する。これにより、たとえば、図５（ｂ）の＃４のポートに接続された医療用ポンプの表示部において、図示のような上下矢印が表示されて、当該医療用ポンプの上方向と下方向に警報を発生している医療用ポンプがあることが使用者に示すことができる。
【００２５】
ステップＳ４０８でＮＯと判定された場合は、ポート番号Ｐが最小値Ｌより小さいか、ポート番号Ｐが最大値Ｍよりも大きいかのいずれかである。そこで、ステップＳ４１０において、制御部１２１はＬ＞Ｐか否かを判断し、Ｌ＞Ｐであれば（ＹＥＳであれば）ステップＳ４１１に、そうでなければ（ＮＯであれば）ステップＳ４１２に処理を進める。
【００２６】
最小値Ｌよりもポート番号Ｐが小さい場合（ステップＳ４１０でＹＥＳの場合）、警報を発生している医療用ポンプは、ポート番号Ｐに接続された医療用ポンプよりも下に存在することになる。これは、本例では図１（ｂ）に示したように上から下へポート番号が増加するように割り当てられているためである。したがって、ステップＳ４１１において、制御部１２１は、番号Ｐのポートに対して下向きの矢印を表示する指示を行う。この結果、図５（ａ）や図５（ｂ）の例の場合、＃１，＃２のポートに装着された医療用ポンプに対して下矢印を表示する指示が送信されることになり、図示のような表示が実現される。
【００２７】
一方、処理がステップＳ４１０からステップＳ４１２に進んだ（Ｓ４１０でＮＯ）場合は、ポート番号Ｐが最大値Ｍよりも大きいということになる。この場合、ポート番号Ｐのポートに接続された医療用ポンプは、警報を発生している医療用ポンプよりも下に存在することになる。したがって、ステップＳ４１２において、制御部１２１は、番号Ｐのポートに対して上向きの矢印を表示する指示を出力する。その結果、図５（ａ）の場合、＃４〜＃６のポートに対して上矢印の表示指示が送出され、これらのポートに装着された医療用ポンプは上向きの矢印を画面に表示することになる。同様に、図５（ｂ）の場合は＃６のポートに上矢印の表示指示が送出され、＃６のポートに装着された医療用ポンプは上向きの矢印を画面に表示することになる。こうして、警報を発生していない医療用ポンプの各々から、警報通知を行っている医療用ポンプ（の装着位置）へ向かう方向の矢印表示が行われる。なお、ポート番号の割り当て方は本例に限られるものではなく、種々の変形が可能であり、その割り当て方に応じて上述した処理内容も変更されることになるが、そのような変形は当業者には明らかである。
【００２８】
ステップＳ４１３において、制御部１２１は、変数Ｐが最大ポート番号（本例では６）になった否かにより、全てのポートについて上記処理を行ったかを判定する。変数Ｐが最大ポート番号でなければ、ステップＳ４１４でＰを１つインクリメントして処理をステップＳ４０７に戻し、次のポートについて上記ステップＳ４０７〜Ｓ４１２の処理を行う。一方、変数Ｐが最大ポート番号に達した場合は、処理をステップＳ４０１に戻す。
【００２９】
以上のような処理により、本実施形態の医療用ポンプシステムでは、図５（ａ）（ｂ）に示すように、警報を発生した医療用ポンプが存在する場合に、他の医療用ポンプの表示部により警報を発生した医療用ポンプを指し示すような表示がなされる。そのため、使用者は、ラック１０１を見るだけで、警報を発生している医療用ポンプがいずれであるかを直ちに視認できる。
【００３０】
以上、第１実施形態では、図１に示したように医療用ポンプが縦一列に並ぶ構成を説明したが、これに限られるものではない。たとえば、横一列に医療用ポンプが並ぶようなラックを用いた医療用ポンプシステムとしてもよいことは明らかである。この場合、矢印表示は左右を指すものとなるであろう。
【００３１】
また、図６に示すように、縦横に複数列の２次元的に医療用ポンプを配置できるような構成にも適用が可能である。この場合、どの列の何番目のポートであるかを特定するために、ポート番号を２桁とし、上位桁が列を、下位桁が何番目かを示すようにする。たとえば、図６では右側の列を１、左側の列を２とし、＃１１〜＃１６が右側の列の６個のポート番号、＃２１〜＃２６が左側の列の６個のポート番号としている。このようにすれば、警報ポートと他のポートの相対的な２次元の位置関係を判定することができる。したがって、制御部１２１は、複数種類の矢印の中から警報ポートの位置へ向かう方向に最も近い方向の矢印を選択することができ、選択した矢印を表示するように各医療用ポンプ（各ポート１０２）に表示指示を出せば、図６のような表示を実現できる。たとえば、上下左右、斜めの８方向の矢印を用意しておき、その中から、あるポートから警報ポートへの方向に最も近い方向の矢印が選択される。図６の場合、＃２３のポートが警報ポートであり、＃１１、＃１２の医療用ポンプでは、＃１１、＃１２のポートから＃２３のポートの方向に最も近い矢印である右斜め下方向の矢印が選択され、表示されている。なお、このような表示制御は、３列以上の場合にも適用でき、各医療ポンプにおいて表示すべき矢印を決定できる。なお、矢印の細かさはこれに限られるものではない。また、ラック１０１から矢印の方向を角度で指示するようにし、医療用ポンプ２０１において指示された角度の矢印を描画、表示するようにしても良い。
【００３２】
以上のように、第１実施形態の医療用ポンプシステムによれば、制御部１２１は、警報通知が受信されると、当該警報通知を発生している医療用ポンプのラック１０１における装着位置をポートの番号から判定する（Ｓ３０５）。制御部１２１は、警報を発生している医療用ポンプ以外の他の医療用ポンプのそれぞれの表示部に、警報を発生している医療用ポンプの装着位置を示すように表示の内容を決定する（Ｓ３０７〜Ｓ３１２）。そして、制御部１２１は、決定された表示の内容を、警報を発生している医療用ポンプ以外の他の医療用ポンプの他のポンプのそれぞれに対して、決定した表示内容を表示させるべく指示を行う（Ｓ３０９，Ｓ３１１，Ｓ３１２）。その結果、図５や図６に示したような、警報通知を行っている医療用ポンプの位置を他の医療用ポンプによって指し示す表示が実現される。そのため、使用者はラックに装着された医療用ポンプの表示から警報の発生した医療用ポンプを容易に特定でき、警報に対して迅速な対応を実施できる。
【００３３】
また、複数の警報ポートが検出された場合に、上下矢印を用いたが、下矢印と上矢印の２種類の矢印の交互表示を行う構成としても良い。その場合、ラック１０１から上下矢印の表示指示を受け取った医療用ポンプが下矢印と上矢印を交互に表示するようにしてもよいし、ラック１０１から上矢印と下矢印の表示指示を適切な時間間隔で点滅することで交互に医療用ポンプに与えるようにしてもよい。この点滅時間間隔を適宜制御することで、下から上へ、または上から下へのアニメーションの矢印ように、使用者に見えるようにしてもよい。また、警報を発生している医療用ポンプの装着位置を示すための方向表示として矢印を用いたが、これに限られるものではない。また、開始忘れアラーム，残量アラームの場合には、オレンジ色の矢印に、輸液完了アラームの場合には赤色の矢印にし、警報の内容に応じて、矢印の色を代えるようにしてもよい。また、方向を指し示すことができる何らかの図形を用いた表示といったような方向の属性を持つ表示であればいかなるものでもよい。
【００３４】
また、上記実施形態では、警報通知を受けたポート番号から警報を発生している医療用ポンプの装着位置を判定したが、各医療用ポンプ２０１が警報通知に装着位置を示す情報を加えるようにしても良い。但し、この場合、各医療用ポンプに装着位置を登録する構成が必要となる。たとえば医療用ポンプ２０１にデジスイッチを設けて上述したポート番号に対応する番号を設定できるようにし、警報が発生した場合には、ポンプ制御部２０５がデジスイッチの設定値を読み取って、これを警報通知に加えてラック１０１に通知することになる。このような構成によれば、通信モジュール１１１がポート番号を付加する機能を省くことができるが、医療用ポンプの各々に、番号設定の機能を持たせることが必要となる。
【００３５】
［第２実施形態］
第１実施形態では単独のラック１０１に複数の医療用ポンプ２０１を装着する構成を説明した。第２実施形態では、それぞれが複数の医療用ポンプ２０１を装着可能な複数のラックを連結して医療用ポンプシステムを形成可能とし、柔軟にシステム構築を行える実施形態を説明する。図７（ａ）（ｂ）は第２実施形態による医療用ポンプシステムの外観の一例を示す図である。図７（ａ）では主ラック６０１に２台の従属ラック７０１が縦方向に接続されて、医療用ポンプが縦方向に１列にならぶ構成が示されている。主ラック６０１、従属ラック７０１はそれぞれ３台の医療用ポンプ２０１を装着可能であり、図７（ａ）では９台の医療用ポンプが縦一列に並んだ様子が示されている。
【００３６】
図８は、図７（ａ）に示すラック構成における制御機能を説明するブロック図である。主ラック６０１は、第１実施形態のラック１０１と同様に、複数のポート６０２、制御部６１１、及び通信モジュール６２１を有する。主ラック６０１は、更に、従属ラックを接続するためのコネクタ６０５，６０６，６０７を有する。従属ラック７０１は、医療用ポンプと通信接続するための複数のポート７０２、主ラック６０１のコネクタ６０５，６０６，６０７のいずれかと接続するためのコネクタ７０３を有する。従属ラック７０１において、複数のポート７０２の各々の信号線は一つのコネクタ７０３に接続されている。
【００３７】
通信モジュール６２１は、主ラック６０１のコネクタ６０５〜６０７と接続された従属ラック７０１から信号を受信すると、従属ラック７０１におけるポート番号に所定数を加算した値をポート番号とし、これを当該信号とともに制御部６１１に提供する。加算される所定数は、各コネクタに対して予め設定されており、たとえば、コネクタ６０５に１０、コネクタ６０６に２０、コネクタ６０７に３０が設定されている。従属ラックを増設する際には、主ラック６０１の直下に配置される従属ラック７０１をコネクタ６０５と接続し、その下に配置される従属ラックをコネクタ６０６に接続し、更にその下に配置される従属ラックをコネクタ６０７に接続するものとする。たとえば、通信モジュール６２１は、コネクタ６０５に接続された従属ラック７０１の＃２のポートから警報通知を受信すると、所定数である１０を加算して、＃１２のポートから警報通知を受信したものとして制御部６１１にこれを通知する。同様に、コネクタ６０６に接続された従属ラック７０１の＃３のポートから警報を受信すると、通信モジュール６２１は、コネクタ６０６に設定された所定数である２０を加算して、＃２３のポートから警報を受信したものとして制御部６１１にこれを通知する。なお、コネクタ６０５〜６０７のそれぞれに割り当てる所定数を、使用者が設定できるように構成してもよい。たとえば、コネクタ６０５〜６０７の各々の近傍にデジスイッチを設けて、ユーザが設定できるようにすれば良い。
【００３８】
以上のような構成によれば、主ラック６０１のポート６０２は上から順に＃１、＃２、＃３となり、コネクタ６０５と接続された従属ラック７０１のポート７０２は上から順に＃１１、＃１２、＃１３となる。また、コネクタ６０６と接続された従属ラック７０１のポート７０２は上から順に＃２１、＃２２、＃２３となる。したがって、主ラック６０１の直下に配置される従属ラック７０１をコネクタ６０５と接続し、その下に配置される従属ラックをコネクタ６０６に接続することで、上から順にポート番号が増加するように構成できる。その結果、第１実施形態で説明した処理（図４のフローチャート）を適用して、警報の発生した医療用ポンプを他の医療用ポンプの表示部によって指し示すように構成することができる。図７（ａ）では、上から５番目のポート（本例ではポート番号が＃１３として扱われる）の医療用ポンプから警報通知が出力された場合の、各医療用ポンプにおける方向表示の状態が示されている。
【００３９】
以上、主ラック６０１と従属ラック７０１を縦方向に並べた医療用ポンプシステムを説明した。しかしながら、コネクタ６０６〜６０７に割り当てる所定数を工夫することで、図７の（ｂ）に示したような２次元的なラック配置に対応できるようになる。図９は、主ラック６０１と従属ラック７０１を縦、横に接続可能とする構成を説明する図である。たとえば、コネクタ６０５には加算する所定値として３を、コネクタ６０６には１０を、コネクタ６０７には１３を割り当てる。そして、図９に示すように、
・コネクタ６０５に接続される従属ラック７０１を主ラック６０１の直下に、
・コネクタ６０６に接続される従属ラック７０１を主ラック６０１の右隣に、
・コネクタ６０７に接続される従属ラック７０１を主ラック６０１の右斜め下に、
それぞれ配置する。
【００４０】
このように構成すると、図７（ｂ）における右側の列のポート番号は上から＃１〜＃６となり、左側の列のポート番号は上から＃１１〜＃１６となる。そして、このように所定値が加算されたポート番号の左の桁と列を示す番号（ポート番号が１桁の場合は左の桁を０として扱う）、右の桁を列中の上からのポート位置とすれば、図６に示したような医療用ポンプの２次元的な配置と、ポート番号の割り当てが実現される。なお、図６では縦列の番号が１から始まるのに対して、図９の例では縦列の番号０から始まるが、ポート番号による位置関係の判定において、この差異は何等支障をきたすものではないことは当業者には明らかである。
【００４１】
なお、上述した主ラックと従属ラックの配置は一例に過ぎず、たとえば主ラックが下に配置されるようにしてもよい。また、各ラックのポンプの装着数は３台までとしたが、これに限られるものではない。但し、コネクタ６０５〜６０７に割り当てられる加算値を上述のように１０、２０、３０とすると、各従属ラックにおけるポンプ装着数は最大１０までとなる。また、図９に示したように、加算する所定数を３，１０，１３とした場合には、各ラック３台までが接続可能な構成となる。
【００４２】
また、上記第２実施形態では、主ラック６０１と制御部６１１等を持たない従属ラック７０１を接続する構成としたがこれに限られるものではない。主ラック６０１において主／従を切換可能にすれば、同一のラック６０１を複数連携させることができる。たとえば、主ラック６０１に主／従切換スイッチを設け、主が選択されていれば主ラック６０１として、従が選択されたら従属ラック７０１として機能するように制御部６１１が通信モジュール６２１を制御すればよい。なお、従属ラックとして機能する場合は、たとえば、コネクタ６０５をコネクタ７０３の代わりとして利用する。このようすれば、インテリジェントな主ラック６０１を主、従として機能させることができるので、医療ポンプシステムを更に柔軟に変更できる。
【００４３】
以上説明したように、第２実施形態によれば、第１実施形態と同様に、警報を発生している医療用ポンプの装着位置を他の医療用ポンプから指し示すことが可能となる。そのため、使用者はラックに装着された医療用ポンプの表示から警報の発生した医療用ポンプを容易に特定でき、警報に対して迅速な対応を実施できる。また、複数のラックを連結可能な構成としたので、システムの規模に応じてラック数を変更でき、柔軟に医療用ポンプシステムを構築できる。
【符号の説明】
【００４４】
１０１：医療用ポンプ装着ラック、１０２〜１０７：ポート、２０１：医療用ポンプ、２０２：表示部、１１１，２０４：通信モジュール、１２１：制御部、２０３：コネクタ、２０５：ポンプ制御部、２０６：送液機構
【図１】
0005584075.tif 000002
【図２】
0005584075.tif 000003
【図３】
0005584075.tif 000004
【図４】
0005584075.tif 000005
【図５】
0005584075.tif 000006
【図６】
0005584075.tif 000007
【図７】
0005584075.tif 000008
【図８】
0005584075.tif 000009
【図９】
0005584075.tif 000010